(57)【要約】      （修正有）【課題】バランスボールのクッション性を利用し、使用者の体にリラックス効果を与える、バランスボールを用いた器具の一種であるボールフックチェアを提供する。【解決手段】バランスボール２と、バランスボールを上部が露出するように保持する保持部３とを備え、保持部は、使用者が上部に腰掛けるときに肘掛け及び背凭れとしてそれぞれ働く肘掛け部４ａ、４ｂ及び背凭れ部５を有する。【選択図】図１
0003227732.tif 000002
【実用新案登録請求の範囲】
【請求項１】
バランスボールと、前記バランスボールを上部が露出するように保持する保持部とを備え、前記保持部は、使用者が前記上部に腰掛けるときに肘掛け及び背凭れとしてそれぞれ働く肘掛け部及び背凭れ部を有することを特徴とするボールフックチェア。
【請求項２】
前記保持部は、前記バランスボールの下部を部分的に受け入れて固定するための開口を有する固定板を備えることを特徴とする請求項１に記載のボールフックチェア。
【請求項３】
前記保持部は、前記背凭れ部にリクライニング機能を持たせるためのリクライニング機構を備えることを特徴とする請求項１又は２に記載のボールフックチェア。
【考案の詳細な説明】
【技術分野】
【０００１】
この考案はバランスボールを用いた器具の一種であるボールフックチェアに関する。
【背景技術】
【０００２】
従来、バランスボールを用いた器具としては、床面から立設する柵体によってバランスボールを囲み、柵体の上縁に把持部を形成して、身体の不自由者に対して利用し易くした健康器具が知られている（例えば、特許文献１参照）。
また、バランスボールの下部に転がり止めの輪状体（ワッシャ）を設置し、座布団としも利用できるようにした健康器具も知られている（例えば、特許文献２参照）
【先行技術文献】
【特許文献】
【０００３】
【特許文献１】実用新案登録３２０７４５２
【特許文献２】実用新案登録３１０５９２３
【考案の概要】
【考案が解決しようとする課題】
【０００４】
しかしながら、上記健康器具は使用者を支えたり、バランスボールの動きを制限するため、使用者は比較的容易にバランスボールの上に座ることができるが、身体が揺動するため長時間にわたって事務用の椅子のように使用することは難しいという問題があった。この考案は、このような事情を考慮してなされたもので、バランスボールのクッション性を効果的に活かしつつ、事務用の椅子としても使用可能なボールフックチェアを提供するものである。
【課題を解決するための手段】
【０００５】
この考案は、バランスボールと、前記バランスボールを上部が露出するように保持する保持部とを備え、前記保持部は、使用者が前記上部に腰掛けるときに肘掛け及び背凭れとしてそれぞれ働く肘掛け部及び背凭れ部を有することを特徴とするボールフックチェアを提供するするものである。
【０００６】
前記保持部は、前記バランスボールの下部を部分的に受け入れて固定するための開口を有する固定板を水平に備えることが好ましい。
【０００７】
前記保持部は、前記背凭れ部にリクライニング機能を持たせるためのリクライニング機構を備えてもよい。
【考案の効果】
【０００８】
この考案によれば、バランスボールを上部が露出するように保持する保持部を備え、保持部は、使用者が前記上部に腰掛けるときに肘掛け及び背凭れとしてそれぞれ働く肘掛け部及び背凭れ部を有するので、使用者は、保持部に保持されたバランスボールのクッション性の良好な上部に安定して座ることができ、かつ、肘掛け部及び背凭れ部によって腰や背中の負担が軽減されるので、長時間にわたって快適に座り続けることができる。
【０００９】
前記保持部が、バランスボールの下部を部分的に受け入れて固定するための開口を有する固定板を備えることにより、バランスボールがより確実に安定して固定される。
【００１０】
保持部が、前記背凭れ部にリクライニング機能を持たせるためのリクライニング機構を備えることにより、使用者は背凭れ部をリクライニングさせて体をリラックスさせることができる。
【図面の簡単な説明】
【００１１】
【図１】この考案によるボールフックチェアを示す斜視図である。
【図２】図１に示すボールフックチェアの側面図である。
【図３】この考案による固定板を示す上面図である。
【図４】この考案によるボールフックチェアにおいて利用者がリクライニング機構を使用する状態を示す説明図であり、（ａ）は斜視図、（ｂ）は側面図である。
【考案を実施するための形態】
【００１２】
図１は、この考案によるボールフックチェアを示す斜視図、図２は図１に示すボールフックチェアの側面図である。これらの図に示すように、ボールフックチェア１は、バランスボール２と、バランスボール２を上部が露出するように保持する保持部３とを備える。また、ボールフックチェア１は、使用者がバランスボール２の上部に腰掛けるときに肘掛け及び背凭れとしてそれぞれ働く肘掛け部４ａ、４ｂと背凭れ部５を備えている。
【００１３】
保持部３は４本の縦支柱６ａ〜６ｄを備え、縦支柱６ａ、６ｂは支持板７ａの上に、縦支柱６ｃ、６ｄは支持板７ｂの上に、それぞれ平行に立設している。縦支柱６ａ、６ｂの高さ方向の中程には横桟８ａが、縦支柱６ｃ、６ｄの高さ方向の中程には横桟８ｂが、それぞれ水平方向に渡されている。
【００１４】
また、使用者がバランスボール２に腰掛けて体を揺動させても、バランスボール２が安定して保持されるように、ボール保持板１２ａ〜１２ｄがバランスボール２を取り囲んで設置されている。つまり、ボール保持板１２ａは縦支柱６ａ、６ｃ間に、ボール保持板１２ｂは縦支柱６ｂ、６ｄ間に、ボール保持板１２ｃは縦支柱６ａ、６ｂ間に、ボール保持板１２ｄは縦支柱６ｃ、６ｄ間に、それぞれバランスボール２に接触するように水平方向に渡されている。
【００１５】
肘掛け部４ａは縦支柱６ａ、６ｂの上端に、肘掛け部４ｂは縦支柱６ｃ、６ｄの上端にそれぞれ設置されている。また、背凭れ部５は、その下端が縦支柱６ｂ、６ｄの間に挟まれ、縦支柱６ｂ、６ｄの上端近傍に設けられたリクライニング機構９ａ、９ｂに結合され、それによって矢印Ａ方向に回動（リクライニング）可能に支持される。
なお、リクライニング機構９ａ、９ｂには、一般によく知られた市販品を用いるので、その構造の詳細な説明は省略する。
【００１６】
図３は、図１、図２に示す固定板１０を示す上面図である。固定板１０は図１、図２に示すように、その四隅が４本の縦支柱６ａ〜６ｄの下方に支持され、バランスボール２を固定する。固定板１０は、中央にバランスボール２の下部を部分的に受け入れて固定するための開口１１を有する。バランスボール２の下部が開口１１に嵌入されると、バランスボール２は確実に位置決めされ変位することがない。
【００１７】
このような構成において、使用者は、バランスボール２の上部に腰を下ろし、両肘を肘掛け部４ａ、４ｂの上に下ろす。そして、リクライニング機構９ａ、９ｂの角度調整用ハンドル（図示せず）を操作して、背凭れ部５を矢印Ａ方向に倒し、所望の角度に調節する。
つまり、利用者は、リクライニング機構９ａ、９ｂを使用して図４（ａ）、（ｂ）に示すようにボールフックチェア１を利用することができる。
これによって、肘掛け部４ａ、４ｂと背凭れ部５との作用と、バランスボール２のクッション作用とが相俟って、使用者は体にリラックス効果が与えられ、背中や腰の負担が和らげられる。従って、長時間座っても、その疲れが軽減される。
【００１８】
なお、ボール保持板１２ｃ、１２ｄを取り外し可能に固定しておけば、必要に応じてそれらを取り外すことにより、バランスボール２のクッション性を調整することができる。
【符号の説明】
【００１９】
１      ボールフックチェア
２      バランスボール
３      保持部
４ａ    肘掛け部
４ｂ    肘掛け部
５      背凭れ部
６ａ    縦支柱
６ｂ    縦支柱
６ｃ    縦支柱
６ｄ    縦支柱
７ａ    支持板
７ｂ    支持板
８ａ    横桟
８ｂ    横桟
９ａ    リクライニング機構
９ｂ    リクライニング機構
１０    固定板
１１    開口１１
１２ａ  ボール保持板
１２ｂ  ボール保持板
１２ｃ  ボール保持板
１２ｄ  ボール保持板
【図１】
0003227732.tif 000003
【図２】
0003227732.tif 000004
【図３】
0003227732.tif 000005
【図４】
0003227732.tif 000006